(57)【要約】【課題】ユーザが他のコンテンツを確認しながら視聴したいコンテンツを探す場合であっても、ユーザにストレスを感じさせないようにする。【解決手段】サーバ装置と、該サーバ装置とネットワーク経由で通信可能な端末装置とを備え、前記端末装置は、表示手段と、複数の第１コンテンツを取得する第１取得手段と、ユーザ操作を受け付ける入力手段と、ユーザからのコンテンツの選択に応答して、前記取得手段で取得された当該選択された第１コンテンツを前記表示手段に表示させる第１表示制御手段と、ユーザからの明示的または黙示的な操作に応答して、選択中の第１コンテンツに対応する第２コンテンツを前記ネットワーク経由で前記サーバ装置から取得する第２取得手段と、表示されている第１コンテンツに代えて、取得した第２コンテンツを前記表示手段に表示させる第２表示制御手段とを含む。【選択図】図３
2013187885.tif 000002
【特許請求の範囲】
【請求項１】
通信システムであって、
サーバ装置と、
該サーバ装置とネットワーク経由で通信可能な端末装置とを備え、
前記端末装置は、
表示手段と、
複数の第１コンテンツを取得する第１取得手段と、
ユーザ操作を受け付ける入力手段と、
ユーザからのコンテンツの選択に応答して、前記取得手段で取得された当該選択された第１コンテンツを前記表示手段に表示させる第１表示制御手段と、
ユーザからの明示的または黙示的な操作に応答して、選択中の第１コンテンツに対応する第２コンテンツを前記ネットワーク経由で前記サーバ装置から取得する第２取得手段と、
表示されている第１コンテンツに代えて、取得した第２コンテンツを前記表示手段に表示させる第２表示制御手段とを含む、通信システム。
【請求項２】
前記複数の第１コンテンツは、該複数チャネルの第１テレビ画像を含み、
前記複数の第２コンテンツは、該複数チャネルの第２テレビ画像を含み、
前記第１取得手段は、第１方式で、前記複数チャネルの第１テレビ画像を取得し、
前記サーバ装置は、さらに、前記第１方式よりも情報量が多い第２方式で前記複数チャネルの第２テレビ画像を取得する第３取得手段を含む、請求項１記載の通信システム。
【請求項３】
前記端末装置は、さらに
前記複数の第１テレビ画像のチャネル番号と放送局識別情報とを対応付けた第１リストを取得する第４取得手段と、
前記複数の第２テレビ画像のチャネル番号と放送局識別情報とを対応付けた第２リストを取得する第５取得手段と、
前記第１リストと前記第２リストとを比較して、放送局識別情報が異なるチャネル番号を抽出する抽出手段と、
前記異なるチャネル番号の第１テレビ画像の選択処理または表示処理を、他のチャネル番号の第１テレビ画像の選択処理または表示処理とは異なる態様とする処理制御手段と、を含む、請求項２記載の通信システム。
【請求項４】
前記処理制御手段は、
前記入力手段が受け付ける前記異なるチャネル番号の選択を禁止する禁止手段を含む、請求項３記載の通信システム。
【請求項５】
前記処理制御手段は、
前記入力手段が、前記異なるチャネル番号の選択を受け付けた場合に、所定画像を前記表示手段に表示させる第４表示制御手段を含む、請求項３または４記載の通信システム。
【請求項６】
前記端末装置は、さらに、
前記第１リストと、前記第２リストと、前記サーバ装置が存在する地域を示す地域情報と、各地域ごとの放送局が定められた地域放送局リストと、を用いて、ユーザから選択されたチャネル番号を変換する変換手段を含み、
前記第２取得手段は、該変換されたチャネル番号の第２テレビ画像を取得する、請求項３〜５いずれか１項記載の通信システム。
【請求項７】
サーバ装置とネットワーク経由で通信可能な端末装置であって、
表示手段と、
複数の第１コンテンツを取得する第１取得手段と、
ユーザ操作を受け付ける入力手段と、
ユーザからのコンテンツの選択に応答して、前記取得手段で取得された当該選択された第１コンテンツを前記表示手段に表示させる第１表示制御手段と、
ユーザからの明示的または黙示的な操作に応答して、選択中の第１コンテンツに対応する第２コンテンツを前記ネットワーク経由で前記サーバ装置から取得する第２取得手段と、
表示されている第１コンテンツに代えて、取得した第２コンテンツを前記表示手段に表示させる第２表示制御手段とを備える、端末装置。
【請求項８】
前記複数の第１コンテンツとは、該複数チャネルの第１テレビ画像であり、
前記複数の第２コンテンツとは、該複数チャネルの第２テレビ画像であり、
前記第１取得手段は、第１方式で、前記複数チャネルの第１テレビ画像を取得し、
前記第２取得手段は、前記第１方式よりも情報量が少ない第２方式で前記複数チャネルの第２テレビ画像を取得する、請求項７記載の端末装置。
【請求項９】
更に、
前記複数の第１テレビ画像のチャネル番号と放送局識別情報とを対応付けた第１リストを取得する第４取得手段と、
前記複数の第２テレビ画像のチャネル番号と放送局識別情報とを対応付けた第２リストを取得する第５取得手段と、
前記第１リストと前記第２リストとを比較して、放送局識別情報が異なるチャネル番号を抽出する抽出手段と、
前記異なるチャネル番号の第１テレビ画像の選択処理または表示処理を、他のチャネル番号の第１テレビ画像の選択処理または表示処理とは異なる態様とする処理制御手段と、をさらに備える、請求項８記載の端末装置。
【請求項１０】
前記処理制御手段は、
前記入力手段が受け付ける前記異なるチャネル番号の選択を禁止する禁止手段を含む、請求項９記載の端末装置。
【請求項１１】
前記処理制御手段は、
前記入力手段が、前記異なるチャネル番号の選択を受け付けた場合に、所定画像を前記表示手段に表示させる第４表示制御手段を含む、請求項９または１０記載の端末装置。
【請求項１２】
前記第１リストと、前記第２リストと、前記サーバ装置が存在する地域を示す地域情報と、各地域ごとの放送局が定められた地域放送局リストと、を用いて、ユーザから選択されたチャネル番号を変換する変換手段を有し、
前記第２取得手段は、該変換されたチャネル番号の第２テレビ画像を取得する、請求項９〜１１いずれか１項記載の端末装置。
【請求項１３】
サーバ装置とネットワーク経由で通信可能であり、表示手段を有する端末装置を用いた通信方法であって、
複数の第１コンテンツを取得するステップと、
ユーザ操作を受け付けるステップと、
ユーザからのコンテンツの選択に応答して、前記取得手段で取得された当該選択された第１コンテンツを前記表示手段に表示させるステップと、
ユーザからの明示的または黙示的な操作に応答して、選択中の第１コンテンツに対応する第２コンテンツを前記ネットワーク経由で前記サーバ装置から取得するステップと、
表示されている第１コンテンツに代えて、取得した第２コンテンツを前記表示手段に表示させるステップとを含む、通信方法。
【請求項１４】
サーバ装置とネットワーク経由で通信可能であるコンピュータで実行されるプログラムであって、前記コンピュータは、ユーザ操作を受け付ける入力手段と、表示手段と、を含み、
前記プログラムは前記コンピュータに、
複数の第１コンテンツを取得するステップと、
ユーザ操作を受け付けるステップと、
ユーザからのコンテンツの選択に応答して、取得された当該選択された第１コンテンツを前記表示手段に表示させるステップと、
ユーザからの明示的または黙示的な操作に応答して、選択中の第１コンテンツに対応する第２コンテンツを前記ネットワーク経由で前記サーバ装置から取得するステップと、
表示されている第１コンテンツに代えて、取得した第２コンテンツを前記表示手段に表示させるステップとを実行させる、プログラム。
【発明の詳細な説明】
【技術分野】
【０００１】
この発明は、通信システム、端末装置、通信方法、およびプログラムに関する。
【背景技術】
【０００２】
従来から、コンテンツを供給するサーバ装置（例えば、据え置き型テレビ）と、当該サーバ装置からコンテンツを受信して、ユーザに視聴させる端末装置（例えば、携帯電話）と、からなる通信システムがある。ここで、コンテンツをテレビ画像とする。例えば、特開２０１０−３５０２６号公報（特許文献１）に記載の技術は、サーバ装置が受信しているテレビ画像を、端末装置にリアルタイムに送信し、ディスプレイに表示させ、ユーザに視聴させる。当該技術をもちいることにより、ワンセグ機能で受信したテレビ画像よりも高解像度のテレビ画像をユーザに視聴させることができる。
【先行技術文献】
【特許文献】
【０００３】
【特許文献１】特開２０１０−３５０２６号公報
【発明の概要】
【発明が解決しようとする課題】
【０００４】
従来技術では、端末装置が、チャネル番号と放送局名とを対応付けたリストをディスプレイに表示させ、ユーザに選択させる。ここで、ユーザがチャネルを選択した時から、端末装置がテレビ画像を受信してディスプレイに該テレビ画像を表示させる時までの時間は、ワンセグ機能を用いてテレビ画像を受信する際の該時間と比較して、長くなる。何故なら、テレビ画像がネットワークを経由するための時間などが必要だからである。
【０００５】
従って、ユーザが他のチャネルのテレビ画像の内容を確認しながら視聴したい番組を探す場合（例えば、ザッピング視聴）に、ユーザがテレビ画像の内容を確認できるまで時間がかかる。よって、ザッピング視聴のなどの場合には、ユーザはストレスを感じる、という課題があった。
【０００６】
本発明の目的は、ユーザが他のコンテンツを確認しながら視聴したいコンテンツを探す場合であっても、ユーザにストレスを感じさせない通信システム、端末装置、通信方法、およびプログラムを提供する。
【課題を解決するための手段】
【０００７】
本発明のある局面に従うと、通信システムであって、サーバ装置と、該サーバ装置とネットワーク経由で通信可能な端末装置とを備え、端末装置は、表示手段と、複数の第１コンテンツを取得する第１取得手段と、ユーザ操作を受け付ける入力手段と、ユーザからのコンテンツの選択に応答して、取得手段で取得された当該選択された第１コンテンツを表示手段に表示させる第１表示制御手段と、ユーザからの明示的または黙示的な操作に応答して、選択中の第１コンテンツに対応する第２コンテンツをネットワーク経由でサーバ装置から取得する第２取得手段と、表示されている第１コンテンツに代えて、取得した第２コンテンツを表示手段に表示させる第２表示制御手段とを含む。
【０００８】
好ましくは、複数の第１コンテンツは、該複数チャネルの第１テレビ画像を含み、複数の第２コンテンツは、該複数チャネルの第２テレビ画像を含み、第１取得手段は、第１方式で、複数チャネルの第１テレビ画像を取得し、サーバ装置は、第１方式よりも情報量が多い第２方式で複数チャネルの第２テレビ画像を取得する第３取得手段を含む。
【０００９】
好ましくは、端末装置は、さらに、複数の第１テレビ画像のチャネル番号と放送局識別情報とを対応付けた第１リストを取得する第４取得手段と、複数の第２テレビ画像のチャネル番号と放送局識別情報とを対応付けた第２リストを取得する第５取得手段と、第１リストと第２リストとを比較して、放送局識別情報が異なるチャネル番号を抽出する抽出手段と、異なるチャネル番号の第１テレビ画像の選択処理または表示処理を、他のチャネル番号の第１テレビ画像の選択処理または表示処理とは異なる態様とする処理制御手段と、を含む。
【００１０】
好ましくは、処理制御手段は、入力手段が受け付ける異なるチャネル番号の選択を禁止する禁止手段を含む。
【００１１】
好ましくは、処理制御手段は、入力手段が、異なるチャネル番号の選択を受け付けた場合に、所定画像を表示手段に表示させる第４表示制御手段を含む。
【００１２】
好ましくは、端末装置は、さらに、第１リストと、第２リストと、サーバ装置が存在する地域を示す地域情報と、各地域ごとの放送局が定められた地域放送局リストと、を用いて、ユーザから選択されたチャネル番号を変換する変換手段を含み、第２取得手段は、該変換されたチャネル番号の第２テレビ画像を取得する。
【００１３】
好ましくは、サーバ装置とネットワーク経由で通信可能な端末装置であって、表示手段と、複数の第１コンテンツを取得する第１取得手段と、ユーザ操作を受け付ける入力手段と、ユーザからのコンテンツの選択に応答して、取得手段で取得された当該選択された第１コンテンツを表示手段に表示させる第１表示制御手段と、ユーザからの明示的または黙示的な操作に応答して、選択中の第１コンテンツに対応する第２コンテンツをネットワーク経由でサーバ装置から取得する第２取得手段と、表示されている第１コンテンツに代えて、取得した第２コンテンツを表示手段に表示させる第２表示制御手段とを備える。
【００１４】
好ましくは、複数の第１コンテンツとは、該複数チャネルの第１テレビ画像であり、複数の第２コンテンツとは、該複数チャネルの第２テレビ画像であり、第１取得手段は、第１方式で、複数チャネルの第１テレビ画像を取得し、第２取得手段は、第１方式よりも情報量が少ない第２方式で複数チャネルの第２テレビ画像を取得する。
【００１５】
好ましくは、更に、複数の第１テレビ画像のチャネル番号と放送局識別情報とを対応付けた第１リストを取得する第４取得手段と、複数の第２テレビ画像のチャネル番号と放送局識別情報とを対応付けた第２リストを取得する第５取得手段と、第１リストと第２リストとを比較して、放送局識別情報が異なるチャネル番号を抽出する抽出手段と、異なるチャネル番号の第１テレビ画像の選択処理または表示処理を、他のチャネル番号の第１テレビ画像の選択処理または表示処理とは異なる態様とする処理制御手段と、をさらに備える。
【００１６】
好ましくは、処理制御手段は、入力手段が受け付ける異なるチャネル番号の選択を禁止する禁止手段を含む。
【００１７】
好ましくは、処理制御手段は、入力手段が、異なるチャネル番号の選択を受け付けた場合に、所定画像を表示手段に表示させる第４表示制御手段を含む。
【００１８】
好ましくは、第１リストと、第２リストと、サーバ装置が存在する地域を示す地域情報と、各地域ごとの放送局が定められた地域放送局リストと、を用いて、ユーザから選択されたチャネル番号を変換する変換手段を有し、第２取得手段は、該変換されたチャネル番号の第２テレビ画像を取得する。
【００１９】
好ましくは、サーバ装置とネットワーク経由で通信可能であり、表示手段を有する端末装置を用いた通信方法であって、複数の第１コンテンツを取得するステップと、ユーザ操作を受け付けるステップと、ユーザからのコンテンツの選択に応答して、取得手段で取得された当該選択された第１コンテンツを表示手段に表示させるステップと、ユーザからの明示的または黙示的な操作に応答して、選択中の第１コンテンツに対応する第２コンテンツをネットワーク経由でサーバ装置から取得するステップと、表示されている第１コンテンツに代えて、取得した第２コンテンツを表示手段に表示させるステップとを含む。
【００２０】
好ましくは、サーバ装置とネットワーク経由で通信可能であるコンピュータで実行されるプログラムであって、コンピュータは、ユーザ操作を受け付ける入力手段と、表示手段と、を含み、プログラムはコンピュータに、複数の第１コンテンツを取得するステップと、ユーザ操作を受け付けるステップと、ユーザからのコンテンツの選択に応答して、取得された当該選択された第１コンテンツを表示手段に表示させるステップと、ユーザからの明示的または黙示的な操作に応答して、選択中の第１コンテンツに対応する第２コンテンツをネットワーク経由でサーバ装置から取得するステップと、表示されている第１コンテンツに代えて、取得した第２コンテンツを表示手段に表示させるステップとを実行させる。
【発明の効果】
【００２１】
本発明の通信システム、端末装置、通信方法、およびプログラムであれば、ユーザが他のコンテンツを確認しながら視聴したいコンテンツを探す場合であっても、ユーザにストレスを感じさせないようにすることができる。
【図面の簡単な説明】
【００２２】
【図１】本実施形態の通信システムの機能構成例を示した図である。
【図２】本実施形態の端末装置のハードウェア機能構成例を示した図である。
【図３】本実施形態の端末装置、サーバ装置の機能構成例を示した図である。
【図４】本実施形態のチャネルリストの機能構成例を示した図である。
【図５】本実施形態の端末装置の処理フローの一例を示した図である。
【図６】本実施形態の画像の遷移例を示した図である。
【図７】本実施形態の第１チャネルリスト、第２チャネルリストの一例を示した図である。
【図８】本実施形態の制御手段の機能構成例を示した図である。
【図９】本実施形態の確認処理の処理フローの一例を示した図である。
【図１０】別の実施形態のチャネルリストの一例を示した図である。
【図１１】別の実施形態の端末装置の処理フローの一例を示した図である。
【図１２】別の実施形態の第１チャネルリスト、第２チャネルリストの一例を示した図である。
【図１３】別の実施形態の制御手段の機能構成例を示した図である。
【図１４】別の実施形態の端末装置の処理フローの一例を示した図である。
【図１５】変換手段の処理フローを示した図である。
【図１６】別の実施形態の端末装置とサーバ装置の機能構成例を示した図である。
【図１７】別の実施形態の端末装置の処理フローを示した図である。
【発明を実施するための形態】
【００２３】
以下に、発明を実施するための形態を示す。なお、同じ機能を持つ構成部や同じ処理を行う過程には同じ番号を付し、重複説明は繰り返さない。また、以下の実施形態の説明では、とくに言及しない限り、コンテンツを「テレビ画像」とする。また、本実施形態のテレビ画像は、複数の放送局それぞれが放送している（出力している）ものであり、チャネルごとに区別されている。また、チャネル番号と放送局名とは、対応付けられている。
【００２４】
［実施形態１］
＜システム構成＞
図１は、本実施形態の通信システムの適用例を示す図である。図１の例では、建物２に、アンテナ装置４が設置され、建物２内に、サーバ装置６とルータ装置８とが設置されている。また、本実施形態の通信システム２０は、サーバ装置６と端末装置１６とを含む。端末装置１６は、サーバ装置６とネットワーク１４で通信可能とされている。
【００２５】
端末装置１６は、サーバ装置６から送信された画像を表示するものである。端末装置１６とは、ユーザが携帯できる装置であり、例えば、携帯電話、スマートフォン、タブレット、ノート型ＰＣ（Ｐｅｒｓｏｎａｌ  Ｃｏｍｐｕｅｒ）などである。また、サーバ装置６は、端末装置１６に対して、テレビ画像などのコンテンツを送信するものである。サーバ装置６とは、例えば、据え置き型テレビ、レコーダ、セットトップボックスなどである。また、ネットワーク１４とは、ルータ装置８によるホームネットワークや、インターネット１２などであり、サーバ装置６とで通信可能であれば、他の通信網を用いてもよい。
【００２６】
アンテナ装置４は、電波塔１０から送信（出力）された放送波Ｓを受信する。アンテナ装置４は、放送波Ｓ中のテレビ画像信号をサーバ装置６に送信する。また、サーバ装置６は、ルータ装置８に対して、送信されたテレビ画像信号をルータ装置８に送信する。
【００２７】
ルータ装置８は、建物２内の端末装置１６に対して、無線で、テレビ画像信号を送信する（ＬＡＮ（Ｌｏｃａｌ  Ａｒｅａ  Ｎｅｔｗｏｒｋ））。また、ルータ装置８は、インターネット１２経由で、建物２外の端末装置１６に対して、テレビ画像信号を送信する（ＷＡＮ（Ｗｉｄｅ  Ａｒｅａ  Ｎｅｔｗｏｒｋ））。このように、サーバ装置６は、ネットワーク１４経由で、端末装置１６に対して、テレビ画像信号を送信する。
【００２８】
図２は、端末装置１６のハードウェア構成を表わすブロック図である。端末装置１６は、ＲＦ受信部１６２と、通信装置１０２と、入力部１６４と、カメラ１０４と、フラッシュメモリ１０６と、ＲＡＭ（Ｒａｎｄｏｍ  Ａｃｃｅｓｓ  Ｍｅｍｏｒｙ）１７５（記憶部１７５）と、ＶＲＡＭ（Ｖｉｄｅｏ  ＲＡＭ）１４７と、ＲＯＭ（Ｒｅａｄ  Ｏｎｌｙ  Ｍｅｍｏｒｙ）１４８と、音声信号処理回路１１５と、音声入力部１１６と、音声出力部１７４と、ＬＥＤ（Ｌｉｇｈｔ  Ｅｍｉｔｔｉｎｇ  Ｄｉｏｄｅ）１７６と、ネットワーク通信Ｉ／Ｆ部（Ｉｎｔｅｒｆａｃｅ）１７０と、メモリカード駆動装置１１２と、バイブレータ１２２と、クロック１２４と、を含む。
【００２９】
ＲＦ受信部１６２によって受信された信号は、通信装置１０２によって受信処理が実行された後、処理後の信号は制御装置１８２に送信される。制御装置１８２は、その信号を音声信号処理回路１１５に送信する。音声信号処理回路１１５は、該信号に対して予め設定された信号処理を実行し、処理後の信号を音声出力部１７４に送信する。音声出力部１７４は、その信号に基づいて音声を出力する。
【００３０】
音声入力部１１６は、端末装置１６に対する、ユーザの発話を受け付けて、その発話に応じた信号を音声信号処理回路１１５に対して送信する。音声信号処理回路１１５は、該信号に基づいて、通話のために予め規定された信号処理を実行し、制御装置１８２に信号する。制御装置１８２は、該信号を送信用の信号に変換し、通信装置１０２に対して送信する。通信装置１０２は、ＲＦ受信部１６２を介してその信号を発信する。これにより、端末装置１６のユーザは、他の相手と通話することができる。
【００３１】
入力部１６４は、ユーザから、端末装置１６に対する命令の入力を受け付ける。入力部１６４は、ハードキー式、ダイヤル式、タッチパネル式、キーパッド式、のうち、少なくとも１つで構成される。
【００３２】
カメラ１０４は、入力部１６４に対する操作に基づいて撮影動作を実行し、その動作により取得された画像信号を制御装置１８２に送出する。カメラ１０４は、たとえば、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）素子、ＣＣＤ（Ｃｈａｒｇｅ  ｏｕｐｌｅｄ  Ｄｅｖｉｃｅ）素子その他の撮像素子によって実現される。
【００３３】
フラッシュメモリ１０６は、制御装置１８２から送信されるデータを格納する。制御装置１８２は、フラッシュメモリ１０６に格納されているデータを読み出し、そのデータを用いて予め規定された処理を実行できる。
【００３４】
ＲＡＭ１７５は、制御装置１８２によって生成されたデータを一時的に保持する。ＲＯＭ１１０は、端末装置１６に予め定められた動作を実行させるためのデータあるいはプログラムを格納している。制御装置１８２は、ＲＯＭ１１０から当該データあるいはプログラムを読み出し、該処理を実行させる。
【００３５】
メモリカード駆動装置１１２は、メモリカード１１４の装着を受け付ける。メモリカード駆動装置１１２は、メモリカード１１４に格納されているデータを読み出し、制御装置１８２に送信する。逆に、メモリカード駆動装置１１２は、制御装置１８２によって出力されるデータを、メモリカード１１４の記憶領域に記憶させる。
【００３６】
音声信号処理回路１１５は、上述のように、通話に用いられる信号を生成するための処理を実行する。また、制御装置１８２と音声信号処理回路１１５とが一体化されてもよい。
【００３７】
画像出力部１７６は、制御装置１８２から出力されるデータに基づいて、そのデータによって規定される画像を表示する。より詳細には、制御装置１８２は、ＶＲＡＭ１４７に表示用のデータを書き込む。画像出力部１７６のドライバ（図示しない）は、ＶＲＡＭ１４７に格納されているデータを読み出し、画像出力部１７６に描画処理を実行する。
【００３８】
ＬＥＤ１１８は、制御装置１８２からの信号に基づいて、予め定められた発光動作を実行する。たとえば、ＬＥＤ１１８が複数の色を表示可能な場合には、ＬＥＤ１１８は、制御装置１８２から出力される信号に含まれるデータに基づいて、そのデータに関連付けられている色で発光する。
【００３９】
ネットワークＩ／Ｆ部１２０は、ネットワーク１４と接続される。また、バイブレータ１２２は、制御装置１８２から出力される信号に基づいて、予め定められた周波数およびパターンで振動動作を実行する。
【００４０】
クロック１２４は、制御装置１８２による命令の実行を規定するための時刻を与える。また、クロック１２４は、制御装置１８２の内部に含まれる構成であってもよい。
【００４１】
図３は、端末装置１６の要部の機能構成例とサーバ装置６の機能構成例のブロック図の一例である。制御装置１８２は、第１取得部１６３と、第２取得部１７１と、第４取得部１６５と、第５取得部１７３と、第１表示制御部１６７と、第２表示制御部１６９と、ワンセグ制御部１６６とと、ストリーミング制御部１６８、記憶部１７５と、デコード部１７２と、制御部１８０と、を含む。また、表示部１７８は、音声出力部１７４と、画像出力部１７６と、を含む。
【００４２】
サーバ装置６のネットワークＩ／Ｆ部６４と、端末装置１６のネットワークＩ／Ｆ部１７０と、がネットワーク１４に接続されていることにより、サーバ装置６と端末装置１６とが通信可能とされている。
【００４３】
本実施形態の端末装置１６は、移動端末用のテレビ画像を受信できる。移動体向けのテレビ画像とは、例えば、ワンセグ放送用のテレビ画像である。以下では、「移動端末用のテレビ画像の信号」を「第１テレビ画像信号」または「ワンセグテレビ画像信号」といい、該第１テレビ画像信号、該ワンセグテレビ画像信号に基づいて生成される画像を「第１テレビ画像」や「ワンセグテレビ画像」という。
【００４４】
ＲＦ受信部１６２は、電波塔１０等から送信されている放送波Ｓ中のワンセグテレビ画像信号を受信する。ＲＦ受信部１６２とは、例えば、アンテナ装置である。第１取得部１６３は、ＲＦ受信部１６２が受信したワンセグテレビ画像信号を取得する。また、ワンセグ制御部１６６は、第１取得部１６３が取得したワンセグテレビ画像信号に対する所定処理や、指定されたチャネルのワンセグテレビ画像の要求処理などの制御を行う。第１取得部１６３は、ワンセグテレビ画像信号をワンセグ制御部１６６に送信する。
【００４５】
ワンセグ制御部１６６は、ワンセグテレビ画像信号を第１表示制御部１６７に対して送信する。デコード部１７２は、第１表示制御部１６７の制御の元、送信されたワンセグテレビ画像信号中の、音声信号およびテレビ画像信号をデコードすることにより、音声、画像を生成する。
【００４６】
デコード部１７２は、音声出力部１７４に対して、音声を送信することにより、音声を出力させる。音声出力部１７４とは、例えば、スピーカである。また、デコード部１７２は、画像出力部１７６に対して、画像を送信することにより、画像を出力させる。画像出力部１７６は、例えば、液晶ディスプレイである。
【００４７】
このように、表示部１７８は、テレビ画像を表示し、音声を出力することにより、ユーザに視聴させる。ユーザは、建物２内であっても、建物２外であっても、テレビ画像を視聴することができる。
【００４８】
このように、本実施形態の端末装置１６は、ワンセグ機能を有する。
一方、アンテナ装置４は、電波塔１０等から送信された放送波Ｓを受信する。該テレビ画像信号とは、上述したワンセグテレビ画像に対応したフルセグテレビ画像の信号である。該テレビ画像信号とは、テレビ画像（放送局が放送している画像）や音声などがデジタル化された信号である。アンテナ装置４が受信したテレビ画像信号は、サーバ装置６に送信される。第３取得部６２は、該送信されたテレビ画像信号を取得する。そして、ネットワークＩ／Ｆ部（送信部）６４は、サーバ装置６はルータ装置８に対して、該取得されたテレビ画像信号を送信する。
【００４９】
端末装置１６の第２取得部１７１は、ネットワークＩ／Ｆ部１７０経由で、サーバ装置６から送信されたテレビ画像信号を取得する。ストリーミング制御部１６８は、第２取得部１７１が取得したテレビ画像信号の処理や、指定されたチャネルのテレビ画像信号の要求などの制御を行う。ストリーミング制御部１６８の制御により、端末装置１６は、適切にストリーミングテレビ画像信号を取得することができる。以下では、第２取得部１７１が取得するテレビ画像信号を「第２テレビ画像信号」または「ストリーミングテレビ画像信号」といい、該第２テレビ画像信号、該ストリーミングテレビ画像信号に基づいて生成される画像を「第２テレビ画像」「ストリーミングテレビ画像」という。
【００５０】
ストリーミング制御部１６８は、第２表示制御部１６９に対して、ストリーミングテレビ画像信号を送信する。そして、第２表示制御部１６９は、第２取得部１７１が取得したストリーミングテレビ画像信号をデコード部１７２に送信する。デコード部１７２は、第２表示制御部１６９の制御の元、表示部１７８に表示される。
【００５１】
また、入力部１６４は、ユーザからの操作の入力を受け付ける。該操作とは、例えば、チャネル操作などである。また、チャネル操作は、サーバ装置の利用に供する装置を用いて行ってもよい。該利用に供する装置とは、サーバ装置がテレビである場合には、該テレビのテレビリモコンである。また、入力部１６４は、ユーザからの操作を受け付けるものであれば何でもよい。入力部１６４は、例えば、タッチパネルやハードキーである。
【００５２】
また、第４取得部１６５は、ワンセグテレビ画像の第１チャネルリストＬ１を取得する。第１チャネルリストＬ１とは、チャネル番号と、当該チャネル番号のワンセグテレビ画像を放送する放送局の識別情報と、を対応付けたものである。放送局識別情報とは、例えば、「放送局名」である。図４は、第１チャネルリストＬ１の一例である。図４の例では、チャネル番号「１」と対応する放送局名は「Ａ」である。
【００５３】
第４取得部１６５は、放送波Ｓの一部に含まれる第１チャネルリストＬ１を抽出し、取得する。取得した第１チャネルリストＬ１は、記憶部１７５に記憶される。そして、ワンセグ制御部１６６は、第４取得部が取得した第１チャネルリストＬ１を表示部１７８に表示させる。
【００５４】
ユーザは、表示部１７８に表示されたチャネルリストを参照しながら、視聴したいチャネル番号を選択する。入力部１６４が、ユーザからのチャネル番号の選択操作を受け付ける。チャネルの選択手法として、所定操作により、表示されているテレビ画像にチャネルリストを重畳させて、ユーザからチャネルの選択操作を受け付けるようにしてもよい。また、端末装置１６のハードキーまたはソフトキーの押下によりチャネル選択操作を受け付けるようにしてもよい。
【００５５】
また、第５取得部１７３は、ストリーミングテレビ画像の第２チャネルリストＬ２を取得する。第２チャネルリストＬ２とは、チャネル番号と、当該チャネル番号のストリーミングテレビ画像を放送する放送局の識別情報と、を対応付けたものである。端末装置１６が存在する地域と、サーバ装置６とが設置されている地域によっては、第１チャネルリストＬ１と第２チャネルリストＬ２とが異なる場合があるが、本実施形態１では、第１チャネルリストＬ１と第２チャネルリストＬ２とが同じ場合について説明する。
【００５６】
また、チャネルリストは、チャネルリストを配信する事業者からネットワークなどで受信するようにしてもよい。また、チャネルリストの代わりに、電子番組（ＥＰＧ：Ｅｌｅｃｔｒｏｎｉｃ  Ｐｒｏｇｒａｍ  Ｇｕｉｄｅ）を受信するようにしてもよい。
【００５７】
このように、本実施形態の端末装置１６は、ワンセグ機能を用いてワンセグテレビ画像を取得でき、かつ、ネットワークを用いてストリーミングテレビ画像を取得できる。ワンセグテレビ画像（第１テレビ画像）を取得する方式（つまり、ワンセグ機能を用いて取得する方式）を第１方式といい、ストリーミングテレビ画像（第２テレビ画像）を受信する方式（つまり、ネットワーク経由で取得する方式）を第２方式という。
【００５８】
また、第１テレビ画像と第２テレビ画像とを比較する。第２テレビ画像は、第１テレビ画像と比較して、高解像度である。また、ワンセグ制御部１６６（または、第１取得部１６３）が第１テレビ画像を要求した時から、表示部１７８に表示される時までの時間を「第１要求表示時間Ｔ１」とする。また、ストリーミング制御部１６８（第２取得部１７１）が第２テレビ画像を要求した時から、表示部に表示される時までの時間を「第２要求表示時間Ｔ２」とする。第１要求表示時間Ｔ１と、第２要求表示時間Ｔ２と、を比較すると、第１要求表示時間Ｔ１＜第２要求表示時間Ｔ２となる。
【００５９】
つまり、第２方式は第１方式よりも情報量が多い通信方式である。
＜端末装置の具体的な処理＞
次に、端末装置１６の具体的な処理の流れについて説明する。図５は端末装置１６の処理フローである。また、図６は、表示部１７８に表示されるテレビ画像の遷移の一例をである。
【００６０】
また、図５の処理フローが開始される前提として、図６（Ａ）に示すように、ストリーミングテレビ画像が表示部１７８に表示されているものとする。図６（Ａ）の例では、１チャネルのストリーミングテレビ画像が表示部１７８に表示されている。そして、ユーザが他のチャネルのテレビ画像の内容を確認しながら視聴したい番組を探す場合（例えば、ザッピング視聴）について図５、図６の説明を行う。
【００６１】
ステップＳ２において、制御部１８０は、ユーザにより入力部１６４から、チャネル選択操作が行われたか否かを判断する。この例では、図６（Ｂ）の例に示すように、ユーザは、２チャネルを選択したとする。ステップＳ４において、ワンセグ制御部１６６は、起動する。
【００６２】
ステップＳ６において、ワンセグ制御部１６６は、選択された２チャネルのワンセグテレビ画像の要求処理を行う、つまり、ワンセグ制御部１６６は、第１取得部１６３に、ＲＦ受信部１６２経由で、２チャネルのワンセグテレビ画像信号を取得させる。
【００６３】
ステップＳ８において、第１表示制御部１６７は、デコード部１７２に、２チャネルのワンセグテレビ画像信号をデコードさせて、表示部１７８に表示させる。このように、第１表示制御部１６７は、ユーザからのテレビ画像のチャネルの選択に応答して、第１取得部１６３で取得されたワンセグテレビ画像を表示部１７８に表示させる。
【００６４】
ステップＳ１０において、制御部１８０は、入力部１６４から、ユーザからの明示的または黙示的な操作がされたか否かを判断する。ここで、ユーザからの明示的な操作とは、所定の操作をいう。一例として、図６（Ｂ）〜図６（Ｄ）に示したように、第１表示制御部１６７が、ＯＫボタン１７８ａを電子的に表示させる。明示的な操作とは、表示部１７８に電子的に表示されたＯＫボタン１７８ａを押下することである。この場合には、表示部１７８はタッチパネル機能を具備させる。また、電子的なＯＫボタン１７８ａを表示させる代わりに、端末装置のハードキーをＯＫボタンの代わりとしてもよい。また、明示的な操作とは、ＯＫボタンを押下する操作とは別の所定の操作としてもよい。
【００６５】
また、ユーザからの黙示的な操作とは、ユーザがチャネル選択した時から、所定時間ｔ経過以内に、何らの操作もされないことをいう。このように、ユーザからの明示的または黙示的な操作をまとめて、「チャネルの完了操作」という。
【００６６】
該所定時間ｔは、ユーザなどにより定められるものであり、制御部１８０が保持している。また、ユーザは、入力部１６４から、所定時間を自由に設定できる。
【００６７】
制御部１８０が、チャネルの完了操作が終了したと判断しなければ（ステップＳ１０のＮｏ）、ステップＳ２に戻る。図６（Ｂ）の例では、完了操作が行われずに、２チャネルのワンセグテレビ画像が表示部１７８に表示されている（つまり、ユーザにより２チャネルが選択中である）。また、図６（Ｃ）の例では、完了操作が行われずに、ザッピングにより、ユーザは３チャネルを選択して、３チャネルのワンセグテレビ画像が表示部１７８に表示されている（つまり、ユーザにより３チャネルが選択中である）。また、図６（Ｄ）の例では、完了操作が行われずに、ザッピングにより、ユーザは４チャネルを選択して、３チャネルのワンセグテレビ画像が表示部１７８に表示されている（つまり、ユーザにより４チャネルが選択中である）。
【００６８】
また、制御部１８０が、チャネルの完了操作が終了したと判断すれば（ステップＳ１０のＹｅｓ）、ステップＳ１２に移行する。図６（Ｄ）の例では、４チャネルのワンセグテレビ画像が表示されている場合に、完了操作（ＯＫボタン１７８ａが押下される操作）が行われる。
【００６９】
ステップＳ１２において、制御部１８０の制御により、第２取得部１７１は、選択中のワンセグテレビ画像に対応するストリーミングテレビ画像をネットワーク１４経由で、サーバ装置６に対して要求する。換言すれば、第２取得部１７１は、完了操作が行われた時に、表示部１７８に表示されていたワンセグテレビ画像に対応するストリーミングテレビ画像をネットワーク１４経由で、サーバ装置６に対して要求する。
【００７０】
また、「ワンセグテレビ画像に対応するストリーミングテレビ画像」とは、この実施形態では、ワンセグテレビ画像を放送している放送局と同一の放送局のストリーミングテレビ画像をいう。図６（Ｄ）（Ｅ）の例では、該ストリーミングテレビ画像とは、「選択中のワンセグテレビ画像（表示部１７８に表示されているワンセグテレビ画像）の放送局（つまり、４チャネルのテレビ画像を放送している放送局）と同一の放送局のストリーミングテレビ画像」をいう。
【００７１】
また、「第２取得部１７１から、サーバ装置６への要求」とは、具体的には、第２取得部１７１は、ネットワークＩ／Ｆ部１７０、ネットワーク１４経由で、サーバ装置６へ要求信号を送信することである。該要求信号には、要求しているストリーミングテレビ画像のチャネル番号などのデータが含まれている。図６（Ｄ）（Ｅ）の例では、要求信号には、４チャネルのスクリーンテレビ画像のチャネル番号が含まれている。
【００７２】
サーバ装置６の第３取得部６２が、ネットワークＩ／Ｆ部６４経由で、要求信号を受信すると、要求信号を解析することにより、含まれているチャネル番号を抽出する。第３取得部６２は、抽出結果のチャネル番号（この例では４チャネル）のストリーミングテレビ画像信号をアンテナ装置４経由で、取得する。
【００７３】
第３取得部６２が４チャネルのストリーミング画像を取得すると、送信部６３は、ネットワークＩ／Ｆ部６４、ネットワーク１４経由で、４チャネルのストリーミング画像を送信する。
【００７４】
ステップＳ１４において、第２取得部１７１は、ネットワークＩ／Ｆ部１７０経由で取得したストリーミングテレビ画像を取得する。
【００７５】
ステップＳ１６において、ストリーミングテレビ画像を取得すると、ワンセグ制御部１６６は、機能を終了する。そして、ステップＳ１８において、第２表示制御部１６９は、デコード部１７２に、取得したストリーミングテレビ画像を送信する。そして、第２表示制御部１６９は、ワンセグ画像に代えて、ストリーミングテレビ画像を表示部１７８に表示させる。「ワンセグ画像に代えて」とは、「ワンセグ画像を非表示にして」ということである。
【００７６】
この実施形態１の通信システム２０、端末装置１６によれば、第１画像（この例では、ワンセグテレビ画像）でユーザにチャネル選択を行わせ、ユーザが視聴したい番組が決定すると、ユーザに対して、完了操作を行わせる。そして、完了操作された時の表示部１７８に表示されている第１画像と対応する第２画像をサーバ装置６に対して要求して、表示部１７８に表示させる。
【００７７】
端末装置１６は、第１テレビ画像を表示部１７８に早く表示させることができ、ユーザがザッピングする場合でも、ユーザにストレスを与えることはない。更に、端末装置１６は、ユーザにより本格的に視聴したい番組が決定されると、ユーザが完了操作を行うことにより、サーバ装置６から第２テレビ画像を取得して、表示部１７８に該第２テレビ画像を表示させる。従って、ザッピングの際には、ユーザにストレスを与えることなく、かつ、高解像度のテレビ放送をユーザに視聴させることができる。
【００７８】
［実施形態２］
次に、実施形態２について説明する。実施形態２では、第４取得部１６５が取得する第１チャネルリストＬ１と、第５取得部１７３が取得する第２チャネルリストＬ２と、が異なる場合について説明する。図７は、第１チャネルリストＬ１と、第２チャネルリストＬ２とが異なる場合を示したものである。
【００７９】
図７の例では、端末装置１６は地域αに存在しており、サーバ装置６は地域βに存在している。ここで、サーバ装置６の受信環境が悪いなどの理由により、サーバ装置６がテレビ画像を受信できないチャネルが存在する場合がある。図７の例では、地域αに位置する端末装置１６が取得する第１チャネルリストＬ１において、チャネル番号１〜５それぞれと対応する放送局は放送局Ａ、Ｂ、Ｃ、Ｄ、Ｅである。また、地域βが存在するサーバ装置６から送信される第２チャネルリストＬ２においては、チャネル番号１、３、４、５に対応する放送局は、放送局Ａ、Ｃ、Ｄ、Ｅであり、サーバ装置６は、チャネル番号２についてのテレビ画像を受信できない。
【００８０】
この場合には、ユーザがザッピングしている間のチャネルリストは、第１チャネルリストＬ１となる。ユーザが２チャネルのテレビ画像（つまり、放送局Ｂが放送しているテレビ画像）を本格的に視聴しようと思い、完了操作を行うと、ストリーミングテレビ画像を取得することができない。従って、ユーザは２チャネルのストリーミングテレビ画像を視聴することができず、ユーザの混乱を招くことになる。
【００８１】
そこで、実施形態２では、第１チャネルリストＬ１と第２チャネルリストＬ２が異なる場合であっても、ユーザの混乱を招かないようにする。
【００８２】
図８は実施形態２の制御部１８０の機能構成例のブロック図である。また、実施形態２の制御部１８０以外の構成は、図３と同様である。また、実施形態２では、図５記載の処理とは独立して、別の処理（以下、「確認処理」という。）が行われる。図９は該確認処理の処理フローである。該確認処理は、事前に行われるようにすることが好ましい。
【００８３】
まず、ステップＳ３２において、比較部１８０２は、記憶部１７５に記憶されている第１リストと第２リストとを比較する。そして、ステップＳ３４において、比較部１８０２は、放送局識別情報（ここでは、放送局名）が異なるチャネル番号が存在するか否かを判断する。
【００８４】
比較部１８０２が、該異なるチャネル番号が存在すると判断すると（ステップＳ３４のＹｅｓ）、ステップＳ３６に移行する。ここで、図７の例では、第１チャネルリスト、第２チャネルリストでは、２チャネルの放送局名が異なることから、ステップＳ３４ではＹｅｓと判断され、ステップＳ３６に移行する。
【００８５】
ステップＳ３６では、抽出部１８０４は、放送局名が異なるチャネル番号（この例では「２」）を抽出する。そして、処理制御部１８０６は、異なるチャネル番号（この例では、２チャネル）の第１テレビ画像の選択処理または表示処理を、他の異なるチャネル番号（この例では、１、３、４、５チャネル）の第１テレビ画像の選択処理または表示処理とは、異ならせる。
【００８６】
＜選択処理の異なる態様について＞
まず、選択処理を異ならせる手法について説明する。処理制御部１８０６は、禁止部１８０８を含んでいる。禁止部１８０８は、入力部１６４かユーザから受け付ける異なるチャネル番号の選択を禁止する。図１０は、該異なるチャネル番号（この例では、２チャネル）の選択の禁止した場合の、表示部１７８に表示させるチャネルリストの一例である。
【００８７】
図１０の例では、ユーザに２チャネルの選択をさせないように、２チャネルを非表示としている。これにより、ユーザは、２チャネルを選択できないことを容易に認識できる。また、該異なるチャネル番号２の輝度を、他のチャネル番号１、３、４、５の輝度よりも低くして、ユーザに該異なるチャネル番号を選択させないようにするようにしてもよい。その他、ユーザに該異なるチャネル番号を選択できないことを認識させることができれば、他の手法を用いるようにしてもよい。
【００８８】
＜表示処理の異なる態様ついて＞
次に、表示処理の異なる態様について説明する。図９記載のステップＳ３８において、処理制御部１８０６は、記憶部１７５に記憶されているチャネルリスト中の該異なるチャネル番号を削除する。この例では、図１０記載のように、チャネル番号２が削除されている。
【００８９】
図１１は、本実施形態の処理フローの一例である。ステップＳ２の処理が終了すると、ステップＳ２０において、判断部１８１１は、選択されたチャネル番号が存在するか否かを判断する。
【００９０】
図１０の例では、ステップＳ２において、ユーザが２チャネルを選択すると、判断部１８１１は、「選択されたチャネル番号は存在しない」と判断し（ステップＳ２０のＮｏ）、ステップＳ２２に移行する。一方、ステップＳ２において、ユーザが１、３、４、５チャネルのうちいずれか１つを選択すると、判断部１８１１は、「選択されたチャネル番号は存在する」と判断し（ステップＳ２０のＹｅｓ）、ステップＳ４に移行する。
【００９１】
ステップＳ２２において、第４表示制御部１８１０は、表示部１７８に所定画像を表示させる。ここで、所定画像とは、例えば、「該異なるチャネル番号のストリーミングテレビ画像を視聴できない」旨を示す情報が含まれる画像である。「該異なるチャネル番号のストリーミングテレビ画像を視聴できない」旨を示す情報とは、文字、記号、図形のうち少なくとも１つでもよい。また、該情報とは、該異なるチャネル番号に対応する放送局名（この場合は、放送局Ｂ）などでもよい。
【００９２】
この実施形態２によれば、ワンセグテレビ画像についての第１チャネルリストと、ストリーミングテレビ画像についての第２チャネルリストと、異なる場合でも、ユーザの混乱を招くことなく、適切に視聴させることができる。
【００９３】
［実施形態３］
実施形態３では、第１チャネルリストＬ１および第２チャネルリストＬ２が他の例である場合を説明する。図１２は、端末装置１６が地域αに存在し、サーバ装置６が地域βに存在する場合に、第４取得部１６５が取得する第１チャネルリストＬ１と、第５取得部１７３が取得する第２チャネルリストＬ２の例である。
【００９４】
図１２の例では、第１チャネルリストＬ１の例では、チャネル番号１〜５それぞれに対応する放送局は、Ａα、Ｂα、Ｃα、Ｄα、Ｅαである。一方、第２チャネルリストＬ２の例では、チャネル番号１〜５それぞれに対応する放送局は、Ｄβ、Ｃβ、Ｅβ、Ａβ、Ｂβとなる。
【００９５】
ここで、放送局Ａαと放送局Ａβとは対応するものである。「放送局Ａαと放送局Ａβとが対応する」とは、放送局Ａαと放送局Ａβが系列局であることをいう。
【００９６】
ユーザは、ザッピングしながら（図５のステップＳ４〜Ｓ８参照）、３チャネルのテレビ画像（つまり放送局Ｃα）を本格的に視聴したいがために、３チャネルの第１テレビ画像を選択中に、完了操作（図５のステップＳ１０）を行ったとする。
【００９７】
そうすると、端末装置１６は、サーバ装置６に対して、３チャネルのストリーミングテレビ画像を要求する。サーバ装置６は、端末装置１６に対して、３チャネルのストリーミングテレビ画像信号（つまり、放送局Ｅβのテレビ画像）を送信して、表示部１７８に表示される。従って、ユーザが意図していないテレビ画像が表示部１７８に表示されることになる。
【００９８】
実施形態３では、このように、サーバ装置６と端末装置１６それぞれが、異なる放送地域に存在する場合であっても、ユーザに、ストリーミングテレビ動画を適切に視聴させることができる。
【００９９】
図１３は実施形態３の制御部１８０の機能構成例である。また、図１４は実施形態３の端末装置１６の処理フローである。図１４は、図５と比較して、ステップＳ１０とステップＳ１２との間にステップＳ４０のチャネル変換処理が追加されている点で異なる。また、図１５はステップＳ４０のチャネル変換処理の処理順序を模式的に示した図である。
【０１００】
また、実施形態３では、記憶部１７５には、予め、図１５に示す地域放送局リストが記憶されている。地域放送局リストとは、各地域（地域α、地域β、地域γ・・・）ごとに、それぞれが対応する複数の放送局名が定められているものである。また、上述のように、対応する放送局とは、系列局であることを示す。
【０１０１】
また、端末装置１６は、サーバ装置６から、第２チャネルリストを取得するとともに、サーバ装置６が位置する地域（この例では地域β）を示す地域情報を取得する。
【０１０２】
ユーザは３チャネルのワンセグ画像を視聴して、３チャネルのテレビ画像（つまり、放送局Ｃα）の本格的な視聴を所望したとする。そうすると、ユーザにより、完了操作が行われ（ステップＳ１０のＹｅｓ）、ステップＳ４０に移行する。
【０１０３】
ステップＳ４０では、変換部１８１２は、第１チャネルリスト、第２チャネルリスト、サーバ装置６が存在する地域を示す地域情報、地域放送局リストを用いて、チャネル変換処理を行う。
【０１０４】
変換処理の詳細について説明する。ステップＳ５０において、変換部１８１２は、完了操作されたチャネル番号「３」を取得する。ステップＳ５２において、変換部１８１２は、第１チャネルリストを参照して、該チャネル番号「３」に対応する放送局が、「放送局Ｃα」であると認識する。
【０１０５】
ステップＳ５４において、変換部１８１２は、地域情報と、地域放送局リストを参照して、「放送局Ｃα」に対応する、地域βの放送局を認識する。具体的には、変換部１８１２は、地域情報が示す地域の、対応する放送局名を抽出する。図１５の例では、地域βの放送局は、「放送局Ｃβ」となる。ステップＳ５６において、変換部１８１２は、該放送局Ｃβと対応するチャネル番号を認識して、該チャネル番号のストリーミングテレビ画像を要求するための要求信号を生成する。この例では、変換部１８１２は、２チャネルのストリーミングテレビ画像を要求するための要求信号を生成する。
【０１０６】
従って、端末装置１６は、ユーザが視聴を所望したチャネルの放送局と対応する放送局のストリーミングテレビ画像を表示させることができる。
【０１０７】
また、変換部１８１２は、端末装置１６に具備させずに、サーバ装置６に具備させるようにしてもよい。
【０１０８】
この実施形態３によれば、放送地域が異なる地域に、端末装置１６、サーバ装置６が存在する場合でも、ユーザは指定した放送局と対応する放送局のテレビ番組を視聴させることができる。
【０１０９】
［実施形態４］
次に、実施形態４について説明する。実施形態１〜３では、「コンテンツ」を「放送局が放送するテレビ画像」であるとして説明した。実施形態４では、サーバ装置６を配信画像サーバ装置として、「コンテンツ」を「サーバ装置６が配信する画像」とする。
【０１１０】
図１６は実施形態４の通信システムの機能構成例である。また、図１７は実施形態４の処理フローである。図１６に示すように、端末装置２１６とサーバ装置２０６とは、ネットワーク１４に接続されることにより、通信可能とされている。
【０１１１】
また、上述した「第１配信画像」は、「ワンセグテレビ画像」と対応するものであり、「第２配信画像」は、「ストリーミングテレビ画像」と対応するものである。また、サーバ装置２０６は、複数の第１配信画像および複数の第２配信画像をネットワーク１４経由で端末装置２１６に対して送信する。
【０１１２】
また、第２配信画像は第１配信画像よりも解像度は高い（容量が多い）。従って、サーバ装置２０６から端末装置２１６までの送信時間は、第２配信画像のほうが、第１配信画像よりも長い。ユーザは、端末装置２１６の表示部１７８に表示された配信画像リスト（上述の第１チャネルリストに対応）を参照して、配信画像選択を行う。配信画像リストとは、例えば、配信画像タイトルが示されたリストである。そして、ユーザが、入力部２１６４から配信画像タイトルを選択すると（ステップＳ６２のＹｅｓ）、第１動画制御部２１６６は起動する。
【０１１３】
第１動画制御部２１６６は、選択された配信画像タイトルの第１配信画像の要求信号を生成して、サーバ装置２０６に対して送信する。該要求信号には、例えば、該選択された第１配信画像の識別情報が含まれている。
【０１１４】
サーバ装置２０６は、ネットワークＩ／Ｆ部２０６４が、要求信号を受信すると、制御部２０６３が、要求信号を解析し、識別情報を取得する。そして、制御部２０６３は、画像記憶部２０６２の取得した識別情報に対応する第１配信画像信号を取得し、端末装置２１６に対して送信する。
【０１１５】
ステップＳ６６において、第１取得部２１６３は、サーバ装置２０６から該第１配信画像信号を取得する。そして、ステップＳ６８において、第１表示制御部２１６７は、第１配信画像信号をデコード部２１７２により第１配信画像にデコードして、表示部２１７８に表示させる。
【０１１６】
このステップＳ６２〜Ｓ６８の処理により、端末装置２１６は、素早く、表示部に第１配信画像を表示させることができるので、ユーザの選択時間を削減することができる。
【０１１７】
次に、ユーザが入力部２１６４から、完了操作を終了させると（ステップＳ７０のＹｅｓ）、第２動画制御部２１６８は、選択中の第１画像（完了操作された時に表示部に表示されていた第１画像）と対応する第２配信画像の要求信号を生成して、サーバ装置２０６に対して送信する。該要求信号は、ステップＳ６６で取得した第１配信画像の識別情報が含まれている。
【０１１８】
サーバ装置２０６の制御部２０６３は、該識別情報を受信すると、制御部２０６３が、要求信号を解析し、識別情報を取得する。制御部２０６３は、画像記憶部２０６２内の、取得した識別情報に対応する第２配信画像信号を取得し、端末装置２１６に対して送信する。
【０１１９】
ステップＳ７４において、第２取得部２１７１は、サーバ装置２０６から該第２配信画像信号を取得する。そして、ステップＳ７８において、第２表示制御部２１６９は、第２配信画像信号をデコード部２１７２により第２配信画像にデコードして、表示部２１７８に表示させる。従って、ユーザは高解像度の配信画像を視聴することができる。
【０１２０】
実施形態４によれば、ユーザが視聴する配信画像の選択時間を削減させることができ、更に、ユーザは高解像度の配信画像を視聴することができる。
【０１２１】
今回開示された実施形態はすべての点で例示であって、制限的なものではない。本発明の範囲は、上記した説明ではなく、特許請求の範囲によって示され、特許請求の範囲と均等の意味および範囲内でのすべての変更が含まれることが意図される。
【符号の説明】
【０１２２】
２  建物、４  アンテナ装置、６  サーバ装置、８  ルータ、１０  電波塔、１２  インターネット、１４  ネットワーク、１６  端末装置、２０  通信システム、１６２  ＲＦ受信部、１６３  第１取得部、１６４  入力部、１６５  第４取得部、１６６  ワンセグ制御部、１６７  第１表示制御部、１６８  ストリーミング制御部、１６９  第２表示制御部、１７０  ネットワークＩ／Ｆ部、１７１  第２取得部、１７２  デコード部、１７３  第５取得部、１７４  音声出力部、１７６  画像出力部、１７８  表示部、１８０  制御部、１８２  制御装置。
【図１】
2013187885.tif 000003
【図２】
2013187885.tif 000004
【図３】
2013187885.tif 000005
【図４】
2013187885.tif 000006
【図５】
2013187885.tif 000007
【図６】
2013187885.tif 000008
【図７】
2013187885.tif 000009
【図８】
2013187885.tif 000010
【図９】
2013187885.tif 000011
【図１０】
2013187885.tif 000012
【図１１】
2013187885.tif 000013
【図１２】
2013187885.tif 000014
【図１３】
2013187885.tif 000015
【図１４】
2013187885.tif 000016
【図１５】
2013187885.tif 000017
【図１６】
2013187885.tif 000018
【図１７】
2013187885.tif 000019